(57)【要約】【課題】  利用者が慣れ親しんでいる装置と転送先の装置とが離れてしまうと、通信品質の低下または接続の切断が生じるという問題点があった。  本発明では上記問題点を鑑み、通信を行う装置間の距離が離れた際に生じる問題を解決することを目的とする。【解決手段】  外部装置にデータの転送を行う転送手段と、前記転送手段により第１のデータの転送が完了したことを判定する判定手段とを有し、前記転送手段は、前記判定手段により前記第１のデータの転送が完了したと判定された後、前記第１のデータを前記外部装置に操作させるための第２のデータを、通信速度を低くして転送する。【選択図】  図４
2010136310.tif 000002
【特許請求の範囲】
【請求項１】
外部装置にデータの転送を行う転送手段と、
前記転送手段により第１のデータの転送が完了したことを判定する判定手段とを有し、
前記転送手段は、前記判定手段により前記第１のデータの転送が完了したと判定された後、前記第１のデータを前記外部装置に操作させるための第２のデータを、通信速度を低くして転送することを特徴とする通信装置。
【請求項２】
外部装置にデータの転送を行う転送手段と、
転送するデータが、既に送った第１のデータを前記外部装置に操作させるための第２のデータであることを判定する判定手段とを有し、
前記判定手段により前記第２のデータであると判定された場合、前記転送手段は通信速度を低くして前記第２のデータの転送を行うことを特徴とする通信装置。
【請求項３】
前記第１のデータは、コンテンツデータであることを特徴とする請求項１に記載の通信装置。
【請求項４】
前記転送手段は符号化方式を変更することで、通信速度を低くすることを特徴とする請求項１乃至３のいずれか１項に記載の通信装置。
【請求項５】
前記転送手段は、変調方式を変更することで、通信速度を低くすることを特徴とする請求項１乃至３のいずれか１項に記載の通信装置。
【請求項６】
前記転送手段は、拡散符号を変更することで、通信速度を低くすることを特徴とする請求項１乃至３のいずれか１項に記載の通信装置。
【請求項７】
外部装置にデータの転送を行う転送手段と、
前記転送手段により第１のデータの転送が完了したことを判定する判定手段とを有し、
前記転送手段は、前記判定手段により前記第１のデータの転送が完了したと判定された後、前記第１のデータを前記外部装置に操作させるための第２のデータを、誤り耐性の強くして転送することを特徴とする通信装置。
【請求項８】
外部装置からデータを取得する取得手段と、
前記取得手段によって取得したデータを記憶する記憶手段と、
前記外部装置との通信が切断された場合には、前記記憶手段に記憶された前記データを消去する消去手段と
を有することを特徴とする通信装置。
【請求項９】
通信装置の制御方法であって、
第１のデータの外部装置への転送が完了した後、通信速度を低くして前記第１のデータを前記外部装置に操作させるための第２のデータを転送することを特徴とする制御方法。
【請求項１０】
通信装置の制御方法であって、
外部装置からデータを取得する取得工程と、
該取得したデータを記憶する記憶工程と、
前記外部装置との通信が切断すると、該記憶したデータを消去する消去工程と
を有することを特徴とする制御方法。
【請求項１１】
コンピュータにより実行され、通信装置の制御を行うためのプログラムであって、
請求項９または１０に記載の制御方法を実現するためのプログラム。
【請求項１２】
外部装置と、外部装置と接続可能な通信装置を有するシステムであって、
前記通信装置は、
外部装置にデータの転送を行う転送手段と、
前記転送手段により第１のデータの転送が完了したことを判定する判定手段とを有し、
前記転送手段は、前記判定手段により前記第１のデータの転送が完了したと判定された後、前記第１のデータを前記外部装置に操作させるための第２のデータを、通信速度を低くして転送し、
前記外部装置は、
前記通信装置から前記第１のデータを取得する取得手段と、
前記取得手段によって取得した前記第１のデータを記憶する記憶手段と、
前記通信装置との通信が切断された場合には、前記記憶手段に記憶された前記第１のデータを消去する消去手段と
を有することを特徴とするシステム。
【請求項１３】
外部装置と、外部装置と接続可能な通信装置を有するシステムであって、
前記通信装置は、
外部装置にデータの転送を行う転送手段と、
転送するデータが、既に送った第１のデータを前記外部装置に操作させるための第２のデータであるかを判定する判定手段とを有し、
前記判定手段により前記第２のデータであると判定された場合、前記転送手段は通信速度を低くして前記第２のデータの転送を行い、
前記外部装置は、
前記通信装置から前記第１のデータを取得する取得手段と、
前記取得手段によって取得した前記第１のデータを記憶する記憶手段と、
前記通信装置との通信が切断された場合には、前記記憶手段に記憶されたデータを消去する消去手段と
を有することを特徴とするシステム。
【発明の詳細な説明】
【技術分野】
【０００１】
本発明は、通信速度を変更する通信装置、通信装置の制御方法、プログラムおよびシステムに関する。
【背景技術】
【０００２】
従来、撮像装置内に記憶済みの映像情報をＵＳＢ等のＰＡＮ（Ｐｅｒｓｏｎａｌ  Ａｒｅａ  Ｎｅｔｗｏｒｋ）を用いて転送、記憶し、映像情報の再生制御を実行する表示装置がある。
【０００３】
また、無線通信インタフェース（無線ＰＡＮ）の登場により、ワイヤレスで撮像装置内に記憶済みのコンテンツデータを映像記憶装置に転送することも可能になっている。例えば特許文献１には、撮像装置内に記憶済みのコンテンツデータをワイヤレスでパーソナルコンピュータに転送する技術が記載されている。
【特許文献１】特開２００２−１４２２１２号公報
【発明の開示】
【発明が解決しようとする課題】
【０００４】
しかし、転送済み映像ファイルの表示、再生制御操作は、転送先の装置の操作部を利用しなくてはならず、利用者が慣れ親しんでいる装置の操作部の利用ができなかった。そのため、利用者は、映像ファイルの所望の再生（Ｆａｓｔ  Ｆｅｅｄ，Ｒｅｗｉｎｄ，Ｓｔｉｌｌ，Ｓｌｏｗ等）等の操作方法を前記転送先の装置の操作部毎に認識しておかなければならないという問題点があった。
【０００５】
そこで、利用者が慣れ親しんでいる装置の操作部で、転送済み映像ファイルの表示、再生制御操作を行いたいという要望がある。これを実施するには、装置間で通信を行いデータ転送する必要がある。
【０００６】
ところが、利用者が慣れ親しんでいる装置と転送先の装置とが離れてしまうと、通信品質の低下または接続の切断が生じるという問題点があった。
【０００７】
本発明では上記問題点を鑑み、通信を行う装置間の距離が離れた際に生じる問題を解決することを目的とする。
【課題を解決するための手段】
【０００８】
前述の課題を解決するために本発明は、外部装置にデータの転送を行う転送手段と、前記転送手段により第１のデータの転送が完了したことを判定する判定手段とを有し、前記転送手段は、前記判定手段により前記第１のデータの転送が完了したと判定された後、前記第１のデータを前記外部装置に操作させるための第２のデータを、通信速度を低くして転送する。
【０００９】
また、外部装置にデータの転送を行う転送手段と、転送するデータが、既に送った第１のデータを前記外部装置に操作させるための第２のデータであるかを判定する判定手段とを有し、前記判定手段により前記第２のデータであると判定された場合、前記転送手段は通信速度を低くして前記第２のデータの転送を行う。
【００１０】
また、外部装置からデータを取得する取得手段と、前記取得手段によって取得したデータを記憶する記憶手段と、前記外部装置との通信が切断された場合には、前記記憶手段に記憶された前記データを消去する消去手段とを有する。
【発明の効果】
【００１１】
本発明によれば、通信を行う装置間の距離が離れた際に生じる問題を解決することが可能となる。
【発明を実施するための最良の形態】
【００１２】
＜実施形態１＞
図１は本実施形態のシステム構成図である。本システムは通信装置の一例としての撮像装置（１０１）と、外部装置の一例としての画像記憶装置（１０２）とディスプレイ（１０４）とで構成されている。なお、撮像装置（１０１）と画像記憶装置（１０２）の間は近接無線通信（１０３）で接続されている。
【００１３】
近接無線通信（１０３）は、無線接続品質に応じた通信速度に切替えて接続可能である。近接無線通信（１０３）として、例えば電磁誘導を利用した非接触ＩＣカード無線通信やＮＦＣ（Ｎｅａｒ  Ｆｉｅｌｄ  Ｃｏｍｍｕｎｃａｔｉｏｎ）、誘導電界を利用した通信などがある。
【００１４】
ディスプレイ（１０４）は画像記憶装置（１０２）を介して撮像装置（１０１）と通信を行う。なお、ディスプレイ（１０４）と画像記憶装置（１０２）との間はアダプタケーブル（１０５）で接続されている。
【００１５】
図２は本発明の実施形態における撮像装置（１０１）と画像記憶装置（１０２）の状態毎の近接無線通信接続の概念図である。
【００１６】
２０は接続状態で撮像装置（１０１）と画像記憶装置（１０２）とが近接している状態を表す。近接状態（２０）において、撮像装置（１０１）と画像記憶装置（１０２）とは高速〜低速の任意の通信速度で通信することが可能である。該状態において、撮像装置（１０１）は高速に映像ファイルなどのコンテンツデータ（第１のデータ）を画像記憶装置（１０２）に転送することが可能である。なお、通信速度の変更は、無線通信で用いる符号化方式や変調方式、拡散符号等を変更することによって行われる。
【００１７】
２１は、近接状態（２０）よりも撮像装置（１０１）と画像記憶装置（１０２）とが離れた状態を表す。準近接状態（２１）において、撮像装置（１０１）と画像記憶装置（１０２）とが高速に通信を実行すると通信フレームの誤りが頻繁に発生してしまう。
【００１８】
２２は、準近接状態（２１）よりも撮像装置（１０１）と画像記憶装置（１０２）とがさらに離れ、切断した状態を表す。
【００１９】
図３は本発明の実施形態における撮像装置（１０１）および画像記憶装置（１０２）の機能ブロック図である。
【００２０】
３０１は近接無線通信（１０３）を行う近接無線通信部である。
【００２１】
３０３は撮像装置（１０１）の通信インタフェースの制御を行う通信制御部である。通信制御部（３０３）は不図示のＣＰＵとメモリで構成される。３１４は、撮像装置（１０１）のいずれの接続状態（２０〜２２）にあるかを格納する通信状態格納部である。
【００２２】
３０５は、撮像装置（１０１）の撮像・記憶機能を提供する機器内アプリケーションである。
【００２３】
本機器内アプリケーションは、撮像部（３１０）、操作部（３１１）、撮影映像記憶部（３１２）、撮像アプリケーション制御部（３０７）で構成されている。
【００２４】
該アプリケーションは、前記画像記憶装置（１０２）との通信を介して、撮影済み記憶画像情報の転送制御を司る撮影情報転送制御（３０８）、利用者の操作情報を伝える操作情報転送制御（３０９）を行う。
【００２５】
該通信のための制御は、撮像アプリケーション制御部（３０７）の動作するＣＰＵ、メモリ群に併せて構成される。
【００２６】
３０４は画像記憶装置（１０２）の通信インタフェースの制御を行う通信制御部である。通信制御部（３０４）はＣＰＵとメモリで構成される。３０２は近接無線通信（１０３）を行う近接無線通信部である。
【００２７】
３１７は、画像記憶装置（１０２）がいずれの接続状態（２０〜２２）にあるかを格納する通信状態格納部であり、３１８は、表示装置であるディスプレイ（１０４）への映像情報出力インタフェース（３１５）の制御部である。
【００２８】
３０６は、画像記憶装置（１０２）の転送情報の記憶・記憶情報の表示機能を提供する機器内アプリケーションである。
【００２９】
撮像装置（１０１）との通信制御として、利用者の操作情報を受取る操作情報制御部（３２０）があり、情報の記憶・表示を司る映像情報記憶制御部（３１９）がある。
該通信制御は、映像情報記憶制御部（３１９）の動作するＣＰＵ、メモリ群に併せて構成される。
【００３０】
次に、図２の接続概念図および図４のフローチャートを用いて本実施形態を説明する。
【００３１】
図４は本案のシステムへの適用した際に、撮像装置（１０１）が実行するアプリケーション間のリンクの設定・解放のためのフローチャートである。
【００３２】
無線接続品質に応じた通信速度を選択して接続する近接無線通信（１０３）は、通信装置間の距離に応じて、図２に示すような３つの状態（２０〜２２）が発生する。
【００３３】
装置間の距離が十分に近い（例えば３〜４ｃｍ以内）状態（２０）においては高速での通信が可能である。しかし、装置間の距離が離れた（例えば１０ｃｍ程度）状態（２１）においては、高速での通信を実行すると通信フレームの誤りが頻繁に発生する。
【００３４】
一般的な無線通信においては、この誤り検出に基づいて通信速度を低下させる通信速度自動制御手法の処理シーケンスを用いて、通信フレームの誤りを低減させている。
【００３５】
ここで、撮影済み映像ファイルの転送後に、撮像装置（１０１）に対して利用者が操作する場合がある。この場合には、状態（２１）の位置関係に陥り、該状態において高速での通信を実行すると通信フレームの誤りが頻繁に発生する。そのため、通信速度自動制御手法の処理シーケンスが頻発し、ユーザが撮像装置（１０１）で実行した操作に関するメッセージが画像記憶装置（１０２）への送信が遅れてしまう。
【００３６】
特に前記転送済み映像ファイルの所望の再生（Ｆａｓｔ  Ｆｅｅｄ，Ｒｅｗｉｎｄ，Ｓｔｉｌｌ，Ｓｌｏｗ等）等の操作が遅延した場合、利用者の指示タイミングとずれた再生箇所で指示に応じた事象が発生し、利用者に不快感を与えることとなる。
【００３７】
そこで本実施形態では、撮像装置（１０１）は無線接続品質に応じた通信速度を選択して接続する近接無線通信（１０３）路を介して機器内アプリケーション（３０５、３０６）間のリンクを設定する（Ｓ４０１〜Ｓ４０３）。ここで、アプリケーションリンク（Ａｐｐｌｉｃａｔｉｏｎ  Ｌｉｎｋ）保護タイマーは、近接無線通信路の通信品質が低下したために近接無線通信路が切断された場合であっても一定時間はアプリケーション間のリンクを維持するために用いる。
【００３８】
その後、撮像装置（１０１）は実行するサービスが映像ファイルといったコンテンツデータ（第１のデータ）の転送であるかの確認（Ｓ４０４）を行う。
【００３９】
映像ファイル転送でなければ転送でなければステップＳ４０９に進む。
【００４０】
一方、映像ファイルの転送であれば、撮像装置（１０１）は所定の対象ファイルを画像記憶装置（１０２）へ転送する（Ｓ４０５）。所定の対象ファイルとは、例えばユーザが選択したファイルを示す。その後、対象ファイルの転送が完了したか否かを判定する（Ｓ４０６）。完了していればステップＳ４０７に進み、完了していなければステップＳ４０５に進む。
【００４１】
該転送が完了した後、本実施形態の撮像装置（１０１）は各種指示（Ｓｔｉｌｌ、ｓｌｏｗ等）を行うための制御データ（第２のデータ）を画像記憶装置（１０２）へ転送する。
【００４２】
ステップＳ４０７において、撮像装置（１０１）は通信フレームの誤りが頻繁に発生しないような通信速度で、その後のデータを転送する。具体的には、通信速度を低くしてデータを転送する。このようにして、通信品質の低下を抑制することができる。
【００４３】
なお、本実施形態においては通信フレームの誤りが頻繁に発生しないような通信速度として、Ｍｉｎｉｍｕｍ値を選択する。その後、撮像装置（１０１）は画像記憶装置（１０２）に転送済み映像ファイルの所望の再生（Ｆａｓｔ  Ｆｅｅｄ，Ｒｅｗｉｎｄ，Ｓｔｉｌｌ，Ｓｌｏｗ等）等を行うための制御データ（第２のデータ）を画像記憶装置（１０２）へ転送する。
【００４４】
該制御データを受信した画像記憶装置（１０２）は受信した制御データに従って、映像ファイルの所望の再生等を行う。
【００４５】
この後、近接無線通信路が切断された場合は、撮像装置（１０１）はステップＳ４０９〜Ｓ４１２の処理を行うことで適切に近接無線通信路を解放する。
【００４６】
上記処理により、撮像装置（１０１）はコンテンツデータの転送後、制御データは低速で転送されるので、通信速度自動制御は不用となり利用者が実行した操作に関するメッセージの遅延が発生しない。従って、利用者の利便性が向上する。
【００４７】
また、撮像装置（１０１）は所定のデータ（コンテンツデータ）の転送後のデータを低速で転送するので、操作可能な装置間の距離の増大や、操作コマンドの受信失敗確率を低減することができる。
【００４８】
なお、本実施形態においては、撮像装置（１０１）から画像記憶装置（１０２）へ誤り耐性の強くして制御データを転送する方法として、通信速度を低くしてデータを転送した。しかし、これに限らず、例えば誤り検出訂正のための冗長信号を付加するようにしてもよい。これによっても、上述の効果を得ることができる。
【００４９】
＜実施形態２＞
本実施形態では、図４のフローチャートにおけるアプリケーションリンク解放（Ｓ４１１）後に、画像記憶装置（１０２）が一時記憶ファイルを削除する機能を有する。本実施形態におけるシーケンスチャートを図５に示す。なお、図４と同様の処理については同じ符号を付し、説明を省略する。また、システム構成やハードウェア構成は実施形態１と同様のため、説明を省略する。
【００５０】
動画ファイル等のスムーズな再生表示を目的として、画像記憶装置（１０２）が映像ファイルを格納した場合には、再生表示の終了後に当該映像ファイルの抹消が必要となる場合がある。しかし、切断状態（２２）においては、画像記憶装置（１０２）内に記憶された映像ファイルを撮像装置（１０１）側の操作では消去することが出来ない。
【００５１】
この対策として画像記憶装置（１０２）側で機器内アプリケーション間（３０５−３０６）のアプリケーションリンクの解放を認識（５０１）した場合には、画像記憶装置（１０２）側で取得した一時記憶Ｆｉｌｅ  Ｄａｔａの消去（５０２）の実施を追加する。
【００５２】
尚、一時記憶Ｆｉｌｅ  Ｄａｔａと恒久記憶Ｆｉｌｅ  Ｄａｔａの識別方法としては、転送対象となる映像ファイルの転送処理内で通知するケースを想定しているが、転送後に前記撮像デバイスの操作部から指定しても良い。
【００５３】
また、画像記憶装置（１０２）が近接無線通信路解放（Ｓ４１２）を認識し、該認識をした場合には画像記憶装置（１０２）側で取得した一時記憶Ｆｉｌｅ  Ｄａｔａの消去の実施をするようにしてもよい。
【００５４】
上記処理により、前記近接無線通信（１０３）が切断状態（２２）に陥っても、画像記憶装置は、一時記憶Ｆｉｌｅ  Ｄａｔａを、適切に破棄することが可能となる。
【００５５】
＜実施形態３＞
実施形態１および２では、映像ファイルを画像記憶装置（１０２）に転送した後に転送される、映像ファイルの所望の再生（Ｆａｓｔ  Ｆｅｅｄ，Ｒｅｗｉｎｄ，Ｓｔｉｌｌ，Ｓｌｏｗ等）等を行うための制御データを、通信速度を低くして転送した。
【００５６】
本実施形態は、映像ファイルを画像記憶装置（１０２）に転送した後に転送するデータが該制御データであった場合、通信速度を低くして転送する。
【００５７】
本実施形態におけるシステム構成やハードウェア構成は実施形態１と同様のため、説明を省略する。
【００５８】
本実施形態における撮像装置（１０１）が実行するアプリケーション間のリンクの設定・解放のためのフローチャートを図６に示す。なお、図４と同様の処理については同じ符号を付し、説明を省略する。
【００５９】
本実施形態においても、像装置（１０１）は無線接続品質に応じた通信速度を選択して接続する近接無線通信（１０３）路を介して機器内アプリケーション（３０５、３０６）間のリンクを設定する（Ｓ４０１〜Ｓ４０３）。その後、撮像装置（１０１）は実行するサービスが映像ファイルといったコンテンツデータ（第１のデータ）の転送であるかの確認（Ｓ４０４）を行う。
【００６０】
映像ファイルの転送であれば、撮像装置（１０１）は所定の対象ファイルを画像記憶装置（１０２）へ転送する（Ｓ４０５）。その後、対象ファイルの転送が完了したか否かを判定する（Ｓ４０６）。完了していればステップＳ６０１に進み、完了していなければステップＳ４０５に進む。
【００６１】
ステップＳ６０１において、撮像装置（１０１）は画像記憶装置（１０２）に転送するデータが、転送済み映像ファイルの所望の再生（Ｆａｓｔ  Ｆｅｅｄ，Ｒｅｗｉｎｄ，Ｓｔｉｌｌ，Ｓｌｏｗ等）等を行うための制御データであるかを判定する。
【００６２】
制御データであった場合、通信速度を低速にして（好ましくはＭｉｎｉｍｕｍ）該制御データを転送する（Ｓ６０２）。
【００６３】
上記処理により、撮像装置（１０１）は所定のデータ（コンテンツデータ）の転送後のデータが制御データであった場合に低速で転送するので、操作可能な装置間の距離の増大や、操作コマンドの受信失敗確率を低減することができる。
【００６４】
＜実施形態４＞
本発明は前述の機能を実現するソフトウェアのプログラムコードを記録した記録媒体をシステムあるいは装置に供給し、システムあるいは装置のコンピュータ（ＣＰＵ、ＭＰＵ）が記録媒体に格納されたプログラムコードを読み出し実行するようにしてもよい。この場合、記憶媒体から読み出されたプログラムコード自体が前述した実施形態の機能を実現することとなり、そのプログラムコードを記憶した記憶媒体は本発明を構成することになる。
【００６５】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ、ＤＶＤなどを用いることができる。
【００６６】
また、コンピュータが読み出したプログラムコードを実行することにより、前述の機能が実現されるだけでなく、そのプログラムコードの指示に基づき、コンピュータ上で稼動しているＯＳが実際の処理の一部または全部を行い、前述の機能を実現してもよい。ＯＳとは、Ｏｐｅｒａｔｉｎｇ  Ｓｙｓｔｅｍの略である。
【００６７】
さらに、記憶媒体から読み出されたプログラムコードを、コンピュータに挿入された機能拡張ボードやコンピュータに接続された機能拡張ユニットに備わるメモリに書き込む。そして、そのプログラムコードの指示に基づき、機能拡張ボードや機能拡張ユニットに備わるＣＰＵが実際の処理の一部または全部を行い、前述の機能を実現してもよい。
【００６８】
実施形態１、２においては、可変通信速度の近接無線通信システムへの適用を用いる例を示したが、光通信等の通信速度を変更可能なピアｔｏピア通信システムへも適用可能である。
【図面の簡単な説明】
【００６９】
【図１】本実施形態のシステム構成図。
【図２】本実施形態の近接無線通信機器の接続状態概念図
【図３】本実施形態の近接無線通信機器の機能ブロック図
【図４】実施形態１の近接無線通信を利用した通信アプリケーション間のリンクの設定・解放のフローチャート
【図５】実施形態２の近接無線通信を利用した通信アプリケーション間のリンクの設定・解放のシーケンスチャート
【図６】実施形態３の近接無線通信を利用した通信アプリケーション間のリンクの設定・解放のフローチャート
【符号の説明】
【００７０】
１０１  撮像装置
１０２  画像記憶装置
１０３  近接無線通信媒体
【図１】
2010136310.tif 000003
【図２】
2010136310.tif 000004
【図３】
2010136310.tif 000005
【図４】
2010136310.tif 000006
【図５】
2010136310.tif 000007
【図６】
2010136310.tif 000008